(57)【要約】  【課題】操作を煩わせることなく、使用者の好む楽曲を選択することのできる楽曲選択装置を提供すること。  【解決手段】ＨＤＤに記憶されている楽曲の中から楽曲を選択するための楽曲選択装置において、再生中の楽曲に関する情報（アルバム名やアーティスト、ジャンル）の中から、使用者により選択されたものを、楽曲を選択するための選択条件に設定する選択条件設定手段と、ＨＤＤから選択条件を満たす楽曲を選択する楽曲選択手段とを装備する。  【選択図】  図３
2006012257.tif 000002
【特許請求の範囲】
【請求項１】
選択対象となっている楽曲の中から楽曲を選択するための楽曲選択装置において、
再生中の楽曲に関する情報の中から、使用者により選択されたものを選択条件に設定す
る選択条件設定手段と、
該選択条件設定手段により設定された前記選択条件に基づいて、選択対象となっている
楽曲の中から前記選択条件を満たす楽曲を選択する楽曲選択手段とを備えていることを特
徴とする楽曲選択装置。
【請求項２】
前記楽曲に関する情報のカテゴリーとして、当該楽曲が収録されていた記憶媒体のタイ
トル名、アーティスト名、及びジャンルのうちの少なくとも一つが含まれていることを特
徴とする請求項１記載の楽曲選択装置。
【請求項３】
再生中の楽曲に関する情報を表示画面上に表示する表示手段を備えていることを特徴と
する請求項１又は請求項２記載の楽曲選択装置。
【請求項４】
前記情報が表示されている部分にボタン機能を設ける第１のボタン機能設定手段を備え
、
使用者により前記部分が操作されると、
前記選択条件設定手段が、使用者により操作された部分に表示されている情報を前記選
択条件に設定するものであることを特徴とする請求項３記載の楽曲選択装置。
【請求項５】
前記表示手段が、再生中の楽曲に関する情報を、該情報に対応するカテゴリー名と並べ
て表示画面上に表示するものであると共に、
カテゴリー名が表示されている部分にボタン機能を設ける第２のボタン機能設定手段を
備え、
使用者により前記部分が操作されると、
前記選択条件設定手段が、使用者により操作された部分に表示されているカテゴリー名
に対応する情報を前記選択条件に設定するものであることを特徴とする請求項３又は請求
項４記載の楽曲選択装置。
【請求項６】
選択対象となっている楽曲の中からランダムに楽曲を選択するランダム選択手段と、
該ランダム選択手段により選択された楽曲の全部又はその一部を再生するランダム再生
手段とを備えると共に、
該ランダム再生手段による再生中の楽曲に関する情報が、前記選択条件に設定され得る
ように構成されていることを特徴とする請求項１〜５のいずれかの項に記載の楽曲選択装
置。
【請求項７】
前記選択条件設定手段が、音声入力手段から得られた音声を認識するための前記音声認
識手段により認識された情報に基づいて、前記選択条件を設定するものであり、
楽曲再生モードでの前記音声認識手段による音声認識語彙が、楽曲に関する情報のカテ
ゴリー名を含んだ所定の語彙に限定されていることを特徴とする請求項１〜６のいずれか
の項に記載の楽曲選択装置。
【請求項８】
再生中の楽曲に関する情報を音声で紹介する音声紹介手段を備えていることを特徴とす
る請求項１〜７のいずれかの項に記載の楽曲選択装置。
【請求項９】
前記音声紹介手段による各情報それぞれの紹介中、及び／又は紹介後の所定の期間内に
、使用者からの選択指示があった場合、
前記選択条件設定手段が、紹介中の情報、及び／又は紹介後から前記所定の期間内の情
報を前記選択条件に設定するものであることを特徴とする請求項８記載の楽曲選択装置。
【請求項１０】
選択対象となっている楽曲の中から楽曲を選択するための楽曲選択システムにおいて、
使用者に使用される端末装置と、楽曲データを提供するサービス機関で使用される情報
処理装置との間で、通信手段を介してデータのやり取りを行い得るように構成されると共
に、
前記端末装置が、
再生中の楽曲に関する情報の中から、使用者により選択された情報、又は該情報のカテ
ゴリーを示したデータを前記情報処理装置へ送信する第１の送信手段と、
前記情報処理装置から送信されてきた楽曲データを受信し、再生する再生手段とを備え
、
前記情報処理装置が、
前記端末装置から送信されてきたデータに基づいて、使用者により選択された情報を選
択条件に設定する選択条件設定手段と、
該選択条件設定手段により設定された前記選択条件に基づいて、選択対象となっている
楽曲の中から前記選択条件を満たす楽曲を選択する楽曲選択手段と、
該楽曲選択手段により選択された楽曲データを前記端末装置へ送信する第２の送信手段
とを備えていることを特徴とする楽曲選択システム。
【請求項１１】
選択対象となっている楽曲の中から楽曲を選択するための楽曲選択方法において、
再生中の楽曲に関する情報の中から、使用者により選択されたものを選択条件に設定す
るステップと、
前記選択条件に基づいて、選択対象となっている楽曲の中から前記選択条件を満たす楽
曲を選択するステップとを有していることを特徴とする楽曲選択方法。
【発明の詳細な説明】
【技術分野】
【０００１】
本発明は楽曲選択装置、楽曲選択システム、及び楽曲選択方法に関し、より詳細には、
ＨＤＤ（Hard Disk Drive ）などに記憶された数多くの楽曲の中から使用者の所望する楽
曲を選択するための楽曲選択装置、楽曲選択システム、及び楽曲選択方法に関する。
【背景技術】
【０００２】
近年、ＨＤＤなどの大容量記憶装置が普及し、一つの記憶装置に数多くの楽曲（例えば
、数千から１万曲）に関するデータを記憶させておくことができるようになっている。例
えば、図１０に示したように、ＨＤＤ１に、ＣＤ２−１〜ＣＤ２−ｎに収録されている楽
曲そのもののデータ（以降、楽曲データとも記す）及びＴＯＣ（Table Of Contents ）情
報（例えば、楽曲数や総演奏時間）が記憶され、さらにはＣＤに関する情報（例えば、タ
イトル名や収録されている楽曲数、収録されている楽曲の総演奏時間、歌手名、各楽曲の
曲名・演奏時間・ジャンル）が記憶されている。
【０００３】
楽曲データやＴＯＣ情報については、ＣＤ２−１〜ＣＤ２−ｎからデータを読み出して
ＨＤＤ１に記憶させれば良く、ＣＤに関する情報については、これら情報を提供するサー
ビス機関３があるため、サービス機関３から提供される情報を取得してＨＤＤ１に記憶さ
せれば良い。なお、サービス機関３から提供されたＣＤに関する情報が、ＨＤＤ１に記憶
されているどの楽曲データに対応したものであるのかは、収録されている楽曲数と総演奏
時間から判断することができ、例えば、第１番目に記憶されている、タイトル名が「大発
明」であるＣＤ（楽曲数１６曲、総演奏時間５１分１２秒）に関する情報は、第２番目に
記憶されている楽曲データ（ＣＤ２−２に収録されていた楽曲データ）に対応したもので
あると判断することができる。
【０００４】
しかしながら、このような数多くの楽曲の中から好みのものを見つけて、選択すること
は非常に大変である。そこで、ドライバーや乗員の聴きたいものを自動的に選択するオー
ディオ装置などが提案されている。例えば、下記の特許文献１には、使用者に「演奏者」
を入力させて、使用者により入力された「演奏者」の楽曲だけを選択するオーディオ装置
について開示されている。
【０００５】
また、図１１に示したように、カテゴリー名が複数表示されているメニュー画面（図１
１（ａ））を表示し、使用者によりこれら選択肢の中からいずれかが選択される（例えば
、アルバム名）と、次に、その選択に応じた選択画面（図１１（ｂ））を表示し、この画
面を通じて使用者により入力された情報に基づいて、楽曲を自動的に選択するといったオ
ーディオ装置なども提案されている。
【０００６】
しかしながら、これでは操作が非常に煩わしい。特に、車室内ではなるべく簡単な操作
となるのが好ましい。また、上記したような選択技術は、聴きたい楽曲が決まっていると
きには有効であるが、聴きたい楽曲が決まっていない場合にはあまり有効と言えない。特
に、車室内ではランダム再生などの機能を使って、使用者の好みに関係なく、楽曲が流さ
れていることは多く、流れている楽曲を何となく聴いているというのはよくあることであ
る。このようなランダム再生は操作の簡単さという点では非常に優れているが、ただ単に
ランダムに楽曲が選択され、再生されているだけで、やはり使用者を十分満足させられる
ものではない。
【特許文献１】特開平６−２２３５４４号公報
【発明の開示】
【課題を解決するための手段及びその効果】
【０００７】
本発明は上記課題に鑑みなされたものであって、操作を煩わせることなく、使用者の好
む楽曲を選択することのできる楽曲選択装置、楽曲選択システム、及び楽曲選択方法を提
供することを目的としている。
【０００８】
上記目的を達成するために本発明に係る楽曲選択装置（１）は、選択対象となっている
楽曲の中から楽曲を選択するための楽曲選択装置において、再生中の楽曲に関する情報の
中から、使用者により選択されたものを選択条件に設定する選択条件設定手段と、該選択
条件設定手段により設定された前記選択条件に基づいて、選択対象となっている楽曲の中
から前記選択条件を満たす楽曲を選択する楽曲選択手段とを備えていることを特徴として
いる。
【０００９】
上記楽曲選択装置（１）によれば、再生中の楽曲に関する情報（例えば、その楽曲が収
録されていたアルバムＣＤのタイトル名や、アーティスト名、ジャンル）の中から、使用
者により選択されたもの（例えば、アーティスト名「浜崎あゆみ」）が前記選択条件に設
定され、該選択条件に基づいて、選択対象となっている楽曲の中から前記選択条件を満た
す楽曲（例えば、「浜崎あゆみ」が歌っている楽曲）が選択される。
【００１０】
例えば、下記に示したような楽曲「特許ａ」が再生されているときに、使用者により楽
曲に関する情報として、アーティスト「特許太郎」が選択された場合、選択対象となって
いる楽曲の中からアーティスト「特許太郎」が歌っている楽曲、例えば「実用ｂ」、「査
定ｖ」（後述する図２参照）などが選択される。また、使用者によりタイトル「大発明」
が選択された場合、選択対象となっている楽曲の中からタイトル名が「大発明」であるア
ルバムＣＤに収録されている楽曲、例えば「実用ｂ」、「査定ｖ」などが選択される。従
って、再生中の楽曲に関する情報の選択といった簡単な操作を行うだけで、使用者は聴き
たい楽曲を聴くことができるようになる。
タイトル名      ：  大発明
曲名            ：  特許ａ
アーティスト名  ：  特許太郎
ジャンル        ：  ロック
【００１１】
また、本発明に係る楽曲選択装置（２）は、上記楽曲選択装置（１）において、前記楽
曲に関する情報のカテゴリーとして、当該楽曲が収録されていた記憶媒体のタイトル名、
アーティスト名、及びジャンルのうちの少なくとも一つが含まれていることを特徴として
いる。
【００１２】
上記楽曲選択装置（２）によれば、前記楽曲に関する情報のカテゴリーとして、当該楽
曲が収録されていた記憶媒体（例えば、アルバムＣＤ）のタイトル名、アーティスト名、
及びジャンルのうちの少なくとも一つが含まれているので、使用者は簡単な操作を行うだ
けで、再生中の楽曲が収録されているアルバムＣＤに収録されている、別の楽曲を再生さ
せるようにしたり、再生中の楽曲を歌っているアーティストが歌っている、別の楽曲を再
生させるようにしたり、再生中の楽曲と同じジャンルの別の楽曲を再生させるようにする
ことができる。これにより、使用者の満足度の非常に高い装置を実現することができる。
【００１３】
また、本発明に係る楽曲選択装置（３）は、上記楽曲選択装置（１）又は（２）におい
て、再生中の楽曲に関する情報を表示画面上に表示する表示手段を備えていることを特徴
としている。
【００１４】
上記楽曲選択装置（３）によれば、再生中の楽曲に関する情報が表示画面上に表示され
るので、使用者は前記表示画面を参照することによって、再生中の楽曲が収録されている
アルバムＣＤのタイトル名や、アーティスト名、ジャンルなどを把握することができる。
これにより、使用者は自身の好むものを正確に選択することができる。
【００１５】
また、本発明に係る楽曲選択装置（４）は、上記楽曲選択装置（３）において、前記情
報が表示されている部分にボタン機能を設ける第１のボタン機能設定手段を備え、使用者
により前記部分が操作されると、前記選択条件設定手段が、使用者により操作された部分
に表示されている情報を前記選択条件に設定するものであることを特徴としている。
【００１６】
上記楽曲選択装置（４）によれば、再生中の楽曲に関する情報（例えば、「大発明」な
どのタイトル名や、「特許太郎」などのアーティスト名、「ロック」などのジャンル）が
表示されている部分にボタン機能が設けられる。例えば、タッチパネル上にタッチボタン
が形成され、このタッチボタンに触れることによって、使用者は必要な操作を完了するこ
とができる。従って、前記情報が表示されている部分に触れるといった操作や、前記部分
にカーソルの位置を移動させるといった操作で良いので、使用者による誤選択を非常に少
なくすることができる。
【００１７】
また、本発明に係る楽曲選択装置（５）は、上記楽曲選択装置（３）又は（４）におい
て、前記表示手段が、再生中の楽曲に関する情報を、該情報に対応するカテゴリー名と並
べて表示画面上に表示するものであると共に、カテゴリー名が表示されている部分にボタ
ン機能を設ける第２のボタン機能設定手段を備え、使用者により前記部分が操作されると
、前記選択条件設定手段が、使用者により操作された部分に表示されているカテゴリー名
に対応する情報を前記選択条件に設定するものであることを特徴としている。
【００１８】
上記楽曲選択装置（５）によれば、再生中の楽曲に関する情報に対応するカテゴリー名
（例えば、タイトル、アーティスト、ジャンル）が表示されている部分にボタン機能が設
けられる。例えば、タッチパネル上にタッチボタンが形成され、このタッチボタンに触れ
ることによって、使用者は必要な操作を完了することができる。従って、前記情報に対応
する部分に触れるといった操作や、前記部分にカーソルの位置を移動させるといった操作
で良いので、使用者による誤選択を非常に少なくすることができる。
【００１９】
また、楽曲に関する情報、例えば、タイトル名やアーティスト名はほとんどの場合、楽
曲毎に変化する。そのため、上記楽曲選択装置（４）のように、再生中の楽曲に関する情
報が表示されている部分をタッチボタンにした場合、タッチボタン上に表示されている文
字が楽曲毎に変化することになる。タッチボタンの形状や大きさにも関係するが、タッチ
ボタン上に表示されている文字の変化はあまり好ましいとは言えない。
ところが、上記楽曲選択装置（５）では、タッチボタン上に表示される文字は「タイト
ル」、「アーティスト」、「ジャンル」などであるため、楽曲が変わっても変化させる必
要はない。従って、見栄えの優れたものとすることができる。
【００２０】
また、本発明に係る楽曲選択装置（６）は、上記楽曲選択装置（１）〜（５）のいずれ
かにおいて、選択対象となっている楽曲の中からランダムに楽曲を選択するランダム選択
手段と、該ランダム選択手段により選択された楽曲の全部又はその一部を再生するランダ
ム再生手段とを備えると共に、該ランダム再生手段による再生中の楽曲に関する情報が、
前記選択条件に設定され得るように構成されていることを特徴としている。
【００２１】
上記楽曲選択装置（６）によれば、ランダムに楽曲が選択されて再生されている場合で
あっても、再生中の楽曲に関する情報の選択といった簡単な操作を行うだけで、使用者は
聴きたい楽曲を聴くことができるようになる。これにより、ランダム再生などの機能を使
って、使用者の好みに関係なく、楽曲が流れているときに、たまたま使用者のその時の気
分に合った楽曲が流れた場合にも、使用者は再生中の楽曲に関する情報を選択するといっ
た単純な操作を行うだけで、その時の気分に合った楽曲を再生させるようにすることがで
きる。
【００２２】
また、本発明に係る楽曲選択装置（７）は、上記楽曲選択装置（１）〜（６）のいずれ
かにおいて、前記選択条件設定手段が、音声入力手段から得られた音声を認識するための
前記音声認識手段により認識された情報に基づいて、前記選択条件を設定するものであり
、楽曲再生モードでの前記音声認識手段による音声認識語彙が、楽曲に関する情報のカテ
ゴリー名を含んだ所定の語彙に限定されていることを特徴としている。
【００２３】
上記楽曲選択装置（７）によれば、操作ボタンなどを操作しなくても、使用者は発声に
よって、再生中の楽曲に関する情報を選択することができる。また、楽曲再生モードでの
前記音声認識手段による音声認識語彙が、楽曲に関する情報のカテゴリー名（例えば、タ
イトル、アーティスト、ジャンル）を含んだ所定の語彙に限定されているので、音声認識
の精度を高くすることができる。
【００２４】
また、本発明に係る楽曲選択装置（８）は、上記楽曲選択装置（１）〜（７）のいずれ
かにおいて、再生中の楽曲に関する情報を音声で紹介する音声紹介手段を備えていること
を特徴としている。
【００２５】
上記楽曲選択装置（８）によれば、再生中の楽曲に関する情報が音声で紹介される。例
えば、アルバムタイトル名から順番に、アルバムタイトル名は「大発明」、曲名は「特許
ａ」、アーティスト名は「特許太郎」、ジャンルは「ロック」、といったように音声で紹
介される。これにより、使用者は視線を動かさなくても、再生中の楽曲に関する情報を知
ることができる。
【００２６】
また、本発明に係る楽曲選択装置（９）は、上記楽曲選択装置（８）において、前記音
声紹介手段による各情報それぞれの紹介中、及び／又は紹介後の所定の期間内に、使用者
からの選択指示があった場合、前記選択条件設定手段が、紹介中の情報、及び／又は紹介
後から前記所定の期間内の情報を前記選択条件に設定するものであることを特徴としてい
る。
【００２７】
上記楽曲選択装置（９）によれば、再生中の楽曲に関する各情報それぞれの紹介中や、
紹介後の前記所定の期間内（例えば、次の情報が紹介されるまでの空白期間内）に、使用
者からの選択指示（例えば、ある特定ボタンの押下や、「それ」といった発声）があった
場合、当該情報が前記選択条件に設定される。
【００２８】
アルバムタイトル名から順番に、アルバムタイトル名は「大発明」と紹介され、その後
、２秒経過してから、曲名は「特許ａ」と紹介され、２秒経過してから、アーティスト名
は「特許太郎」と紹介され、２秒経過してから、ジャンルは「ロック」と紹介されるよう
になっているとき、例えば、アーティスト名は「特許太郎」と紹介されている最中に、又
は次のジャンルの紹介が始まるまでに、使用者によりある特定ボタンが押下されると、前
記選択条件がアーティスト「特許太郎」に設定される。従って、使用者は非常に簡単な操
作を行うだけで、聴きたい楽曲を聴くことができるようになる。
【００２９】
また、本発明に係る楽曲選択システム（１）は、選択対象となっている楽曲の中から楽
曲を選択するための楽曲選択システムにおいて、使用者に使用される端末装置と、楽曲デ
ータを提供するサービス機関で使用される情報処理装置との間で、通信手段を介してデー
タのやり取りを行い得るように構成されると共に、前記端末装置が、再生中の楽曲に関す
る情報の中から、使用者により選択された情報、又は該情報のカテゴリーを示したデータ
を前記情報処理装置へ送信する第１の送信手段と、前記情報処理装置から送信されてきた
楽曲データを受信し、再生する再生手段とを備え、前記情報処理装置が、前記端末装置か
ら送信されてきたデータに基づいて、使用者により選択された情報を選択条件に設定する
選択条件設定手段と、該選択条件設定手段により設定された前記選択条件に基づいて、選
択対象となっている楽曲の中から前記選択条件を満たす楽曲を選択する楽曲選択手段と、
該楽曲選択手段により選択された楽曲データを前記端末装置へ送信する第２の送信手段と
を備えていることを特徴としている。
【００３０】
上記楽曲選択システム（１）によれば、再生中の楽曲に関する情報（例えば、その楽曲
が収録されていたアルバムＣＤのタイトル名や、アーティスト名、ジャンル）の中から、
使用者により選択されたもの（例えば、アーティスト名「浜崎あゆみ」）が前記選択条件
に設定され、該選択条件に基づいて、選択対象となっている楽曲の中から前記選択条件を
満たす楽曲（例えば、「浜崎あゆみ」が歌っている楽曲）が選択される。
【００３１】
例えば、上記したような楽曲「特許ａ」が再生されているときに、使用者により楽曲に
関する情報として、アーティスト「特許太郎」が選択された場合、選択対象となっている
楽曲の中からアーティスト「特許太郎」が歌っている楽曲、例えば「実用ｂ」、「査定ｖ
」などが選択される。また、使用者によりタイトル「大発明」が選択された場合、選択対
象となっている楽曲の中からタイトル名が「大発明」であるアルバムＣＤに収録されてい
る楽曲、例えば「実用ｂ」、「査定ｖ」などが選択される。従って、再生中の楽曲に関す
る情報の選択といった簡単な操作を行うだけで、使用者は聴きたい楽曲を聴くことができ
るようになる。
【００３２】
また、前記選択条件を満たす楽曲を選択する処理は、サービス機関側で行われるので、
使用者が使用する前記端末装置（例えば、使用者が購入するなどして、車両に取り付ける
必要のある装置）には、前記処理を行う機能を装備しなくて良く、また、楽曲データにつ
いても、サービス機関側で管理すれば良いため、前記端末装置を安価で実現することがで
きる。
【００３３】
また、本発明に係る楽曲選択方法（１）は、選択対象となっている楽曲の中から楽曲を
選択するための楽曲選択方法において、再生中の楽曲に関する情報の中から、使用者によ
り選択されたものを選択条件に設定するステップと、前記選択条件に基づいて、選択対象
となっている楽曲の中から前記選択条件を満たす楽曲を選択するステップとを有している
ことを特徴としている。
【００３４】
上記楽曲選択方法（１）によれば、再生中の楽曲に関する情報（例えば、その楽曲が収
録されていたアルバムＣＤのタイトル名や、アーティスト名、ジャンル）の中から、使用
者により選択されたもの（例えば、アーティスト名「浜崎あゆみ」）が前記選択条件に設
定され、該選択条件に基づいて、選択対象となっている楽曲の中から前記選択条件を満た
す楽曲（例えば、「浜崎あゆみ」が歌っている楽曲）が選択される。従って、再生中の楽
曲に関する情報の選択といった簡単な操作を行うだけで、使用者は聴きたい楽曲を聴くこ
とができるようになる。
【発明を実施するための最良の形態】
【００３５】
以下、本発明に係る楽曲選択装置、楽曲選択システム、及び楽曲選択方法の実施の形態
を図面に基づいて説明する。図１は、実施の形態（１）に係る楽曲選択装置を含んで構成
される（又は楽曲選択方法が採用された）、オーディオシステムの要部を概略的に示した
ブロック図である。図中１１はオーディオシステムの本体部となるオーディオ装置を示し
ており、オーディオ装置１１はディスプレイ３１と通信ラインＬを介して接続されている
。
【００３６】
オーディオ装置１１は、ＣＰＵなどを有したマイコン１２と、ディスプレイ３１との間
でデータのやり取りを行うための通信インターフェース１３と、音楽ＣＤ１４から楽曲デ
ータ（楽曲そのもののデータ）及びＴＯＣ情報を読み出すためのＣＤドライブ１５と、ボ
タンスイッチなどを有したリモコン１６と、マイクロフォン１７で変換された電気信号を
処理して音声を認識するための音声認識部１８と、マイコン１２からの文字データを処理
して合成音声データを生成する音声合成部１９と、音声合成部１９で生成された合成音声
データを増幅する増幅器２０と、増幅された合成音声データを音声として出力するスピー
カ２１とを含んで構成されている。
【００３７】
また、マイコン１２には、磁気ディスク（図示せず）で構成され、データの読み書きが
可能であり、楽曲データや楽曲情報に関するデータなど各種データが記憶されたＨＤＤ２
２が接続されている。マイコン１２に接続されている携帯電話などの移動体通信機２３は
、サーバー（図示せず）からの情報などの受信に用いるものであり、マイコン１２は移動
体通信機２３を介してサーバーからの情報（例えば、楽曲に関する情報）を取得すること
ができるようになっている。なお、これらデータを記憶させるものはＨＤＤ２２に限定さ
れず、例えば、ＤＶＤなどの大容量記録メディアを用いても好適に実現可能である。
【００３８】
図２は、ＨＤＤ２２に記憶されている楽曲データ、及び楽曲情報に関するデータの一部
を示した図であり、ＨＤＤ２２にはＣＤ２−１〜ＣＤ２−ｎ（図１０参照）に収録されて
いる楽曲データ及びＴＯＣ情報（例えば、ＣＤに収録されている楽曲数や総演奏時間）に
関するデータが記憶され、さらにはＣＤに関する情報（例えば、タイトル名、収録されて
いる楽曲数、収録されている楽曲の総演奏時間、歌手名、リリースされた年月日、収録さ
れている各楽曲の曲名・演奏時間・ジャンル・イメージ）に関するデータが記憶されてい
る。イメージについては、例えば、恋人同士向き、クリスマスソング、元気になる曲など
で表される。
【００３９】
楽曲データやＴＯＣ情報に関するデータについては、ＣＤ２−１〜ＣＤ２−ｎからデー
タを読み出してＨＤＤ２２に記憶させれば良く、ＣＤに関する情報（すなわち、楽曲情報
）については、これら情報を提供する機関などから、移動体通信機２３を使って取得して
ＨＤＤ２２に記憶させれば良い。なお、前記機関から提供されたＣＤに関する情報が、Ｈ
ＤＤ２２に記憶されているどの楽曲データに対応したものであるのかは、収録されている
楽曲数と総演奏時間から判断することができ、例えば、第１番目に記憶されている、タイ
トル名が「大発明」であるＣＤ（楽曲数１６曲、総演奏時間５１分１２秒）に関する情報
は、第２番目に記憶されている楽曲データ（ＣＤ２−２に収録されている楽曲データ）に
対応したものであると判断することができる。
【００４０】
ディスプレイ３１は、ＣＰＵなどを有したマイコン３２と、オーディオ装置１１との間
でデータのやり取りを行うための通信インターフェース３３と、表示画面がタッチパネル
３４ａとなっている表示部３４と、画面表示の制御を行う描画回路３５とを含んで構成さ
れている。
【００４１】
実施の形態（１）に係る楽曲選択装置を含んで構成される（又は楽曲選択方法が採用さ
れた）、オーディオシステムを構成するオーディオ装置１１のマイコン１２とディスプレ
イ３１のマイコン３２とで行われる処理動作を図３に示したフローチャートに基づいて簡
単に説明する。なお、この処理動作はリモコン１６が操作されることや、タッチパネル３
４ａに触れられることなどによって、使用者により楽曲再生が指示された場合に行われる
動作である。
【００４２】
オーディオ装置１１（マイコン１２）は、まず、再生する楽曲を選択し（ステップＳ１
）、選択結果に基づいて、該当する楽曲データ及び楽曲に関する情報（例えば、その楽曲
が収録されていたアルバムＣＤのタイトル名、曲名、アーティスト名、ジャンル、曲のイ
メージ）をＨＤＤ２２から読み込み（ステップＳ２）、読み込んだ楽曲に関する情報（す
なわち、再生する楽曲に関する情報）を表示画面を構成する要素としてディスプレイ３１
へ送信し（ステップＳ３）、その後、楽曲データを再生することによって、音楽をスピー
カ２１から出力させる（ステップＳ４）。
【００４３】
ディスプレイ３１（マイコン３２）は、オーディオ装置１１から送信されてきた、表示
画面を構成する要素としての楽曲に関する情報を受信すると（ステップＴ１）、受信した
楽曲に関する情報に基づいて、描画データを生成し、生成した描画データを描画回路３５
へ出力することによって、例えば、図４（ａ）に示したような画面Ｐ１を表示部３４へ表
示する（ステップＴ２）。図４（ａ）に示した画面Ｐ１には、再生中の楽曲に関する情報
が、該情報に対応するカテゴリー名と並べて表示されている。また、カテゴリー名が表示
されている部分はタッチボタンＢ１〜Ｂ５になっており、使用者は指で触れることによっ
て、これらカテゴリーを選択することができるようになっている。なお、ここではカテゴ
リー名をタッチボタンとしているが、別の実施の形態では、図４（ｂ）に示した画面Ｐａ
のように、アルバム名や、アーティスト名など、楽曲に関する情報そのものを示した部分
をタッチボタンＢａ〜Ｂｅとするようにしても良い。もちろん、両方でも良い。
【００４４】
ディスプレイ３１（マイコン３２）は、次に、これらタッチボタンＢ１〜Ｂ５のいずれ
かが選択されたか否かを判断し（ステップＴ３）、これらタッチボタンＢ１〜Ｂ５のいず
れかが選択されたと判断すれば、その操作情報をオーディオ装置１１へ送信する（ステッ
プＴ４）。
【００４５】
オーディオ装置１１（マイコン１２）は、ディスプレイ３１から送信されてきた操作情
報を受信すると（ステップＳ５）、受信した操作情報に基づいて、使用者により選択され
た楽曲に関する情報を特定する（ステップＳ６）。例えば、タイトル名が「大発明」のア
ルバムＣＤに収録されていた、アーティスト「特許太郎」が歌っている曲名「特許ａ」が
再生されているときに、使用者によりカテゴリーとして「アーティスト」が選択された場
合、使用者により選択された楽曲に関する情報をアーティスト「特許太郎」と特定する。
【００４６】
オーディオ装置１１（マイコン１２）は、特定した情報を選択条件（例えば、アーティ
スト「特許太郎」）に設定し（ステップＳ７）、楽曲データの再生が終了したと判断すれ
ば（ステップＳ８）、次に、設定した選択条件に基づいて、ＨＤＤ２２から前記選択条件
を満たす楽曲を選択し（ステップＳ９）、その後、ステップＳ２へ戻る。
【００４７】
実施の形態（１）に係る楽曲選択装置を含んで構成される（又は楽曲選択方法が採用さ
れた）、オーディオシステムを構成するオーディオ装置１１のマイコン１２で行われる処
理動作を図５−１、図５−２に示したフローチャートに基づいて簡単に説明する。なお、
この処理動作はリモコン１６が操作されることや、タッチパネル３４ａに触れられること
などによって、楽曲モードへの切替が指示された場合に行われる動作である。また、楽曲
モードへの切替指示がなされると、表示部３４に図６（ａ）に示したような画面が表示さ
れるようになっている。
【００４８】
図６（ａ）に示した画面Ｐ２には、複数のタッチボタンＢ６〜Ｂ１１が配置され、これ
らタッチボタンＢ６〜Ｂ１０のいずれかを選択することによって、ある所望のカテゴリー
から楽曲を選択することができ、また、タッチボタンＢ１１を選択することによって、ラ
ンダム再生を選択することができるようになっている。
【００４９】
まず、タッチパネル３４ａに触れられることによって、ディスプレイ３１から送信され
てくる操作情報を受信したか否か（又はリモコン１６が操作されることによって、リモコ
ン１６から送信される操作情報を受信したか否か）を判断する（ステップＳ１１）。
【００５０】
操作情報を受信したと判断すれば、次に、受信した操作情報に基づいて、使用者により
楽曲のランダム再生が選択されたか否か（例えば、タッチボタンＢ１１に触れられたか否
か）を判断する（ステップＳ１２）。使用者により楽曲のランダム再生が選択されていな
い（すなわち、アルバム名や曲名、アーティスト名からなどの楽曲選択が選択された）と
判断すれば、次に、受信した操作情報に基づいて、表示画面を構成する要素に関する情報
をディスプレイ３１へ送信する（ステップＳ１３）。例えば、使用者によりアーティスト
名からの楽曲選択が選択された場合には、図６（ｂ）に示したような画面Ｐ３を表示部３
４に表示させるのに必要となる情報を送信する。
【００５１】
次に、図６（ｂ）に示したような画面Ｐ３が表示部３４に表示されているときに、タッ
チパネル３４ａに触れられることによって、ディスプレイ３１から送信されてくる操作情
報を受信したか否か（又はリモコン１６が操作されることによって、リモコン１６から送
信される操作情報を受信したか否か）を判断する（ステップＳ１４）。
【００５２】
操作情報を受信したと判断すれば、次に、受信した操作情報に基づいて、再生する楽曲
を選択し（ステップＳ１５）、選択結果に基づいて、該当する楽曲データ及び楽曲に関す
る情報をＨＤＤ２２から読み込み（ステップＳ１６）、読み込んだ楽曲に関する情報（す
なわち、再生する楽曲に関する情報）を表示画面を構成する要素としてディスプレイ３１
へ送信し（ステップＳ１７）、楽曲データを再生することによって、音楽をスピーカ２１
から出力させ（ステップＳ１８）、その後、ステップＳ２１（図５−２）へ進む。上記し
たように、ディスプレイ３１は、表示画面を構成する要素として楽曲に関する情報を受信
すると、図４（ａ）に示したような画面Ｐ１を表示部３４へ表示するようになっている。
【００５３】
一方、ステップＳ１２において、使用者により楽曲のランダム再生が選択されたと判断
すれば、次に、ＨＤＤ２２からランダムに楽曲を選択し（ステップＳ１９）、ランダム再
生を行っていることを示すランダム再生フラグｆ1を１にし（ステップＳ２０）、その後
、ステップＳ１６へ進む。
【００５４】
ステップＳ２１では、図４（ａ）に示したような画面Ｐ１が表示部３４に表示されてい
るときに、タッチパネル３４ａに触れられることによって、ディスプレイ３１から送信さ
れてくる操作情報を受信したか否か（又はリモコン１６が操作されることによって、リモ
コン１６から送信される操作情報を受信したか否か）を判断する。
【００５５】
操作情報を受信したと判断すれば、次に、受信した操作情報に基づいて、使用者により
選択された楽曲に関する情報を特定する（ステップＳ２２）。例えば、タイトル名が「大
発明」のアルバムＣＤに収録されていた、アーティスト「特許太郎」が歌っている曲名「
特許ａ」が再生されているときに、使用者によりカテゴリーとして「アーティスト」が選
択された場合、使用者により選択された楽曲に関する情報をアーティスト「特許太郎」と
特定する。
【００５６】
次に、特定した情報を選択条件（例えば、アーティスト「特許太郎」）に設定し（ステ
ップＳ２３）、選択条件が設定されたことを示す設定フラグｆ2を１にし（ステップＳ２
４）、その後、楽曲データの再生が終了したか否かを判断し（ステップＳ２５）、楽曲デ
ータの再生が終了していると判断すれば、次に、設定フラグｆ2が１であるか否かを判断
する（ステップＳ２６）。
【００５７】
設定フラグｆ2が１であると判断すれば、選択条件に基づいて、ＨＤＤ２２から前記選
択条件を満たす楽曲を選択し（ステップＳ２７）、その後、ステップＳ６（図５−１）へ
戻る。一方、設定フラグｆ2は１でないと判断すれば、次に、ランダム再生フラグｆ1が１であるか否かを判断する（ステップＳ２８）。
ランダム再生フラグｆ1が１であると判断すれば、ＨＤＤ２２からランダムに楽曲を選
択させるために、ステップＳ９（図５−１）へ戻り、一方、ランダム再生フラグｆ1が１でないと判断すれば、ステップＳ１（図５−１）へ戻る。
【００５８】
また、ステップＳ２１において、操作情報を受信していないと判断した場合は、ステッ
プＳ２２〜Ｓ２４を行う必要がないので、そのままステップＳ２５へ進む。また、ステッ
プＳ２５において、楽曲データの再生は終了していないと判断した場合は、ステップＳ２
１へ戻る。
【００５９】
上記実施の形態（１）に係る楽曲選択装置を含んで構成される（又は楽曲選択方法が採
用された）、オーディオシステムによれば、再生中の楽曲に関する情報（例えば、その楽
曲が収録されていたアルバムＣＤのタイトル名や、アーティスト名、ジャンル）の中から
、使用者により選択されたもの（例えば、アーティスト名「特許太郎」）が前記選択条件
に設定され、該選択条件に基づいて、ＨＤＤ２２から前記選択条件を満たす楽曲（例えば
、アーティスト「特許太郎」が歌っている楽曲）が選択される。従って、再生中の楽曲に
関する情報の選択といった簡単な操作を行うだけで、使用者は聴きたい楽曲を聴くことが
できるようになる。また、通常の楽曲再生中に限らず、ランダム再生中においても選択条
件の設定が可能になっているので、使用者にとってより満足度の高いシステムを実現する
ことができる。
【００６０】
なお、上記実施の形態（１）に係る楽曲選択装置（又は楽曲選択方法）では、通常の楽
曲再生、ランダム再生のいずれの場合も、楽曲データの全部の再生が終了してから、次の
楽曲再生へ移るようになっているが、別の実施の形態では、スキャン機能を同時に作動さ
せることができるようにし、例えば、ランダム再生については楽曲データの全部の再生が
終了してから、次の楽曲の再生へ移るのではなく、数秒程度の頭出しをするだけで次の楽
曲の再生へ移るようにしても良い。
【００６１】
また、上記実施の形態（１）に係る楽曲選択装置（又は楽曲選択方法）では、図４（ａ
）に示したような画面Ｐ１が表示部３４に表示されているときに、使用者によりタッチパ
ネル３４ａに触れられることによって、ディスプレイ３１から送信される操作情報や、使
用者によりリモコン１６が操作されることによって、リモコン１６から送信される操作情
報に基づいて、楽曲に関する情報を特定する場合について説明しているが、別の実施の形
態では、使用者から音声が発せられることによって、音声認識部１８から出力される情報
に基づいて、楽曲に関する情報を特定するようにしても良い。
【００６２】
これにより、タッチパネル３４ａに触れたり、リモコン１６などを操作しなくても、使
用者は発声によって、再生中の楽曲に関する情報を選択することができる。また、このと
きの音声認識部１８による音声認識語彙を、楽曲に関する情報のカテゴリー名（例えば、
タイトル、アーティスト、ジャンル）と楽曲再生に関する語彙（例えば、ランダム再生）
に限定することによって、音声認識の精度を高くすることができる。
【００６３】
次に、実施の形態（２）に係る楽曲選択装置を含んで構成される（又は楽曲選択方法が
採用された）、オーディオシステムについて説明する。但し、マイコン１２及びマイコン
１２を備えたオーディオ装置１１を除き、図１に示したオーディオシステムと同様の構成
であるので、マイコン１２及びオーディオ装置１１には異なる符号を付し、その他の構成
部分についてはその説明を省略する。
【００６４】
図中１１Ａはオーディオシステムの本体部となるオーディオ装置を示しており、オーデ
ィオ装置１１Ａはディスプレイ３１と通信ラインＬを介して接続されている。オーディオ
装置１１Ａは、ＣＰＵなどを有したマイコン１２Ａと、通信インターフェース１３と、Ｃ
Ｄドライブ１５と、リモコン１６と、音声認識部１８と、音声合成部１９と、増幅器２０
と、スピーカ２１とを含んで構成されている。
【００６５】
また、マイコン１２Ａには、データの読み書きが可能であり、楽曲データや楽曲情報に
関するデータなど各種データが記憶されたＨＤＤ２２が接続されている。マイコン１２Ａ
に接続されている移動体通信機２３は、サーバー（図示せず）からの情報などの受信に用
いるものであり、マイコン１２Ａは移動体通信機２３を介してサーバーからの情報（例え
ば、楽曲に関する情報）を取得することができるようになっている。
【００６６】
実施の形態（２）に係る楽曲選択装置を含んで構成される（又は楽曲選択方法が採用さ
れた）、オーディオシステムを構成するオーディオ装置１１Ａのマイコン１２Ａで行われ
る処理動作を図７−１、図７−２に示したフローチャートに基づいて簡単に説明する。な
お、この処理動作はリモコン１６が操作されることや、タッチパネル３４ａに触れられる
ことなどによって、楽曲モードへの切替が指示された場合に行われる動作である。
【００６７】
また、マイコン１２Ａで行われる処理動作は、ステップＳ２１で「Ｎｏ」と判断した後
の処理以外については、図５−１、図５−２に示したオーディオ装置１１のマイコン１２
の行う処理と同様であるため、ここでは、ステップＳ２１での処理以降についてのみ説明
する。
【００６８】
ステップＳ２１では、図４（ａ）に示したような画面Ｐ１が表示部３４に表示されてい
るときに、タッチパネル３４ａに触れられることによって、ディスプレイ３１から送信さ
れてくる操作情報を受信したか否か（又はリモコン１６が操作されることによって、リモ
コン１６から送信される操作情報を受信したか否か）を判断する。
【００６９】
操作情報を受信していないと判断すれば、次に、使用者から音声（例えば、「楽曲紹介
」といった語彙）が発せられることによって、音声認識部１８から出力される操作情報を
取得したか否かを判断し（ステップＳ２１Ａ）、例えば、使用者により「楽曲紹介」と発
せられたと判断すれば、次に、図７−２に示した音声処理モードへ進んで、再生中の楽曲
に関する情報を音声で紹介する処理を行う（ステップＳ２１Ｂ）。一方、使用者により「
音声案内」と発せられていないと判断すれば、そのままステップＳ２５へ進む。
【００７０】
図７−２に示したステップＳ３１では、係数ｋを０にし、次に、タイマｔを０にして起
動させ（ステップＳ３２）、その後、係数ｋに基づいて、再生中の楽曲に関する情報を紹
介するための紹介文データを作成し、作成した紹介文データを音声合成部１９へ出力する
ことによって、スピーカ２１より音声として紹介文を出力させる（ステップＳ３３）。
【００７１】
紹介文データの作成方法としては、例えば、ＨＤＤ２２などから「アルバム名は○○○
○です」、「曲名は○○○○です」、「アーティスト名は○○○○です」、「ジャンルは
○○○○です」、「曲のイメージは○○○○です」といった紹介用の基本文データを読み
出し、それに楽曲に関する情報を組み込むといった方法が挙げられる。また、ここでは係
数０のときに、アルバム名を紹介し、係数１のときに、曲名を、係数２のときに、アーテ
ィスト名と、係数３のときに、ジャンルを、係数４のときに、曲のイメージをそれぞれ紹
介するようになっている。
【００７２】
次に、使用者から音声（例えば、「それで頼む」といった語彙）が発せられることによ
って、音声認識部１８から出力される操作情報を取得したか否かを判断し（ステップＳ３
４）、例えば、使用者により「それで頼む」と発せられたと判断すれば、係数ｋに基づい
て、そのときに音声紹介されていた（又は音声での紹介が開始されてから所定の時間ｔ’
が経過していない）楽曲に関する情報を選択条件に設定し（ステップＳ３５）、選択条件
が設定されたことを示す設定フラグｆ2を１にし（ステップＳ３６）。その後、ステップＳ４０へ進む。例えば、係数ｋが２のとき、アーティスト名が音声紹介されていることに
なるので、再生中の楽曲を歌っているアーティストが選択条件に設定されることになる。
【００７３】
一方、ステップＳ３４で、使用者により「それで頼む」と発せられていないと判断すれ
ば、次に、タイマｔが所定の時間ｔ’（例えば、４秒）以上であるか否かを判断する（ス
テップＳ３７）。タイマｔが所定の時間ｔ’以上であると判断すれば、次に、係数ｋに１
を加算し（ステップＳ３８）、係数ｋが５以上であるか否かを判断する（ステップＳ３９
）。係数ｋが５以上でない（すなわち、音声紹介すべき楽曲に関する情報が残っている）
と判断すれば、ステップＳ３２へ戻り、他方、係数ｋが５以上である（すなわち、楽曲に
関する情報の紹介は終了した）と判断すれば、この「楽曲紹介処理」を終了する。
【００７４】
ステップＳ３７において、タイマｔが所定の時間ｔ’以上でないと判断すれば、ステッ
プＳ４０へ進んで、楽曲データの再生が終了したか否かを判断する。楽曲データの再生が
終了していると判断すれば、この「楽曲紹介処理」を終了する。他方、楽曲データの再生
が終了していないと判断すれば、ステップＳ３４へ戻る。
【００７５】
上記実施の形態（２）に係る楽曲選択装置を含んで構成される（又は楽曲選択方法が採
用された）、オーディオシステムによれば、再生中の楽曲に関する情報（例えば、その楽
曲が収録されていたアルバムＣＤのタイトル名や、アーティスト名、ジャンル）の中から
、使用者により選択されたもの（例えば、アーティスト名「特許太郎」）が前記選択条件
に設定され、該選択条件に基づいて、ＨＤＤ２２から前記選択条件を満たす楽曲（例えば
、アーティスト「特許太郎」が歌っている楽曲）が選択される。従って、再生中の楽曲に
関する情報の選択といった簡単な操作を行うだけで、使用者は聴きたい楽曲を聴くことが
できるようになる。
【００７６】
また、再生中の楽曲に関する各情報それぞれの音声による紹介中や、紹介後の所定の期
間内（例えば、次の情報が紹介されるまでの空白期間内）に、使用者からの選択指示（例
えば、「それで頼む」といった発声）があった場合、当該情報が選択条件に設定される。
従って、使用者は非常に簡単な操作を行うだけで、聴きたい楽曲を聴くことができるよう
になる。
【００７７】
上記実施の形態（１）又は（２）に係る楽曲選択装置を含んで構成される（又は楽曲選
択方法が採用された）、オーディオシステムでは、システムの本体となるオーディオ装置
とディスプレイとが別体である場合について説明しているが、これらは別体でなくても、
一体的に形成されたものであっても良い。
【００７８】
また、上記実施の形態（１）又は（２）に係る楽曲選択装置を含んで構成される（又は
楽曲選択方法が採用された）、オーディオシステムでは、再生中の楽曲の再生が終了して
から、次の楽曲を選択するようになっているが、楽曲選択のタイミングはこれに限定され
るものではない。また、別の実施の形態では、選択条件に基づいて、複数の楽曲を選択し
、楽曲再生リストを作成するようにしても良い。これにより、処理の効率化を図ることが
できる。
【００７９】
図８は、実施の形態（３）に係る楽曲選択システムの要部を概略的に示したブロック図
である。図中４１は車両に搭載される端末装置を示しており、端末装置４１はＣＰＵなど
を有したマイコン４２と、ディスプレイ４３と、ボタンスイッチなどを有したリモコン４
４と、マイクロフォン４５で変換された電気信号を処理して音声を認識するための音声認
識部４６と、マイコン４２からの文字データを処理して合成音声データを生成する音声合
成部４７と、音声合成部４７で生成された合成音声データを増幅する増幅器４８と、増幅
された合成音声データを音声として出力するスピーカ４９とを含んで構成されている。また、マイコン４２に接続されている携帯電話などの移動体通信機５０は、ネットワークＮＷを介してサーバー５１とのデータのやり取りに用いるものである。
【００８０】
サーバー５１（本発明における情報処理装置に対応）は、ＣＰＵなどを有したマイコン
５２と、ネットワークＮＷに接続されている外部装置（例えば、端末装置４１）との間で
データのやり取りを行うための通信部５３と、磁気ディスク（図示せず）で構成され、デ
ータの読み書きが可能であり、楽曲データや楽曲情報に関するデータなど各種データが記
憶されたＨＤＤ５４とを含んで構成されている。なお、ＨＤＤ５４には、ＨＤＤ２２（図
１参照）と同様に、図２に示したようなデータが記憶されるようになっている。
【００８１】
実施の形態（３）に係る楽曲選択システムを構成する端末装置４１のマイコン４２とサ
ーバー５１のマイコン５２とで行われる処理動作を図９−１、図９−２に示したフローチ
ャートに基づいて説明する。なお、この処理動作はリモコン４４が操作されることなどに
よって、使用者により楽曲が選択された場合に行われる動作である。
【００８２】
端末装置４１（マイコン４２）は、まず、使用者により選択された楽曲の楽曲データ、
及び楽曲に関する情報（例えば、その楽曲が収録されていたアルバムＣＤのタイトル名、
曲名、アーティスト名、ジャンル、曲のイメージ）の送信をサーバー５１へ要求する（ス
テップＳ４１）。
【００８３】
サーバー５１（マイコン５２）は、端末装置４１からの要求情報を受信すると（ステッ
プＴ４１）、要求情報に基づいて、楽曲データ及び楽曲に関する情報をＨＤＤ５４から読
み込み（ステップＴ４２）、読み込んだ楽曲データ及び楽曲に関する情報を端末装置４１
へ送信する（ステップＴ４３）。
【００８４】
端末装置４１（マイコン４２）は、サーバー５１から送信されてきた楽曲データ及び楽
曲に関する情報を受信すると（ステップＳ４２）、図４（ａ）に示したような、楽曲に関
する情報を含んだ表示画面をディスプレイ４３に表示させ（ステップＳ４３）、その後、
楽曲データを再生することによって、音楽をスピーカ４９から出力させる（ステップＳ４
４）。
【００８５】
端末装置４１（マイコン４２）は、次に、表示画面に形成されているタッチボタンＢ１
〜Ｂ５（図４（ａ）参照）のいずれかが選択されたか否かを判断し（ステップＳ４５）、
これらタッチボタンＢ１〜Ｂ５のいずれかが選択されたと判断すれば、その操作情報をサ
ーバー５１へ送信する（ステップＳ４６）。
【００８６】
サーバー５１（マイコン５２）は、端末装置４１から送信されてきた操作情報を受信す
ると（ステップＴ４４）、受信した操作情報に基づいて、使用者により選択された楽曲に
関する情報を特定する（ステップＴ４５）。例えば、タイトル名が「大発明」のアルバム
ＣＤに収録されていた、アーティスト「特許太郎」が歌っている曲名「特許ａ」が再生さ
れているときに、使用者によりカテゴリーとして「アーティスト」が選択された場合、使
用者により選択された楽曲に関する情報をアーティスト「特許太郎」と特定する。
【００８７】
サーバー５１（マイコン５２）は、特定した情報を選択条件（例えば、アーティスト「
特許太郎」）に設定し（ステップＴ４６）、設定した選択条件に基づいて、ＨＤＤ５４か
ら前記選択条件を満たす楽曲を選択し（ステップＴ４７）、選択結果に基づいて、該当す
る楽曲データ及び楽曲に関する情報をＨＤＤ５４から読み込み（ステップＴ４８）、読み
込んだ楽曲データ及び楽曲に関する情報を端末装置４１へ送信する（ステップＴ４９）。
なお、このとき複数の楽曲を選択して楽曲再生リストを作成するようにしても良い。
【００８８】
端末装置４１（マイコン４２）は、サーバー５１から送信されてきた楽曲データ及び楽
曲に関する情報を受信し（ステップＳ４７）、その後、前曲の楽曲データの再生が終了し
たと判断すれば（ステップＳ４８）、次曲の楽曲に関する情報を含んだ表示画面をディス
プレイ４３に表示させて（ステップＳ４９）、次曲の楽曲データを再生することによって
、音楽をスピーカ４９から出力させる（ステップＳ５０）。
【００８９】
上記実施の形態（３）に係る楽曲選択システムによれば、再生中の楽曲に関する情報（
例えば、その楽曲が収録されていたアルバムＣＤのタイトル名や、アーティスト名、ジャ
ンル）の中から、使用者により選択されたもの（例えば、アーティスト名「特許太郎」）
が前記選択条件に設定され、該選択条件に基づいて、選択対象となっている楽曲の中から
前記選択条件を満たす楽曲（例えば、「特許太郎」が歌っている楽曲）が選択される。従
って、再生中の楽曲に関する情報の選択といった簡単な操作を行うだけで、使用者は聴き
たい楽曲を聴くことができるようになる。
【００９０】
また、前記選択条件を満たす楽曲を選択する処理は、サーバー５１で行われるので、使
用者が使用する端末装置４１（例えば、使用者が購入するなどして、車両に取り付ける必
要のある装置）には、前記処理を行う機能を装備しなくて良く、また、楽曲データについ
ても、サーバー５１で管理すれば良いため、端末装置４１を安価で実現することができる
。
【００９１】
上記実施の形態（３）に係る楽曲選択システムを構成される端末装置４１では、ディス
プレイが組み込まれた場合について説明しているが、これらは一体になっていなくても良
く、別の実施の形態では、端末装置の本体部とディスプレイとが別体となる構成にしても
良い。
【図面の簡単な説明】
【００９２】
【図１】本発明の実施の形態（１）に係る楽曲選択装置を含んで構成される（又は楽曲選択方法が採用された）、オーディオシステムの要部を概略的に示したブロック図である。
【図２】ＨＤＤに記憶されているデータの一部を示した図である。
【図３】実施の形態（１）に係る楽曲選択装置を含んで構成される（又は楽曲選択方法が採用された）、オーディオシステムを構成するオーディオ装置のマイコンとディスプレイのマイコンとで行われる処理動作を示したフローチャートである。
【図４】ディスプレイに表示される操作画面の一例を示した図である。
【図５−１】実施の形態（１）に係る楽曲選択装置を含んで構成される（又は楽曲選択方法が採用された）、オーディオシステムを構成するオーディオ装置のマイコンで行われる処理動作を示したフローチャートである。
【図５−２】実施の形態（１）に係る楽曲選択装置を含んで構成される（又は楽曲選択方法が採用された）、オーディオシステムを構成するオーディオ装置のマイコンで行われる処理動作を示したフローチャートである。
【図６】ディスプレイに表示される操作画面の一例を示した図である。
【図７−１】実施の形態（２）に係る楽曲選択装置を含んで構成される（又は楽曲選択方法が採用された）、オーディオシステムを構成するオーディオ装置のマイコンで行われる処理動作を示したフローチャートである。
【図７−２】実施の形態（２）に係る楽曲選択装置を含んで構成される（又は楽曲選択方法が採用された）、オーディオシステムを構成するオーディオ装置のマイコンで行われる処理動作を示したフローチャートである。
【図８】実施の形態（３）に係る楽曲選択システムの要部を概略的に示したブロック図である。
【図９−１】実施の形態（３）に係る楽曲選択システムを構成する端末装置のマイコンとサーバーのマイコンとで行われる処理動作を示したフローチャートである。
【図９−２】実施の形態（３）に係る楽曲選択システムを構成する端末装置のマイコンとサーバーのマイコンとで行われる処理動作を示したフローチャートである。
【図１０】ＨＤＤに記憶されているデータの一部を示した図である。
【図１１】ディスプレイに表示される操作画面の一例を示した図である。
【符号の説明】
【００９３】
１１、１１Ａ  オーディオ装置
１２、１２Ａ、３２、４２、５２  マイコン
２２、５４  ＨＤＤ
３１、４３  ディスプレイ
３４  表示部
３４ａ  タッチパネル
４１  端末装置
５１  サーバー
【図１】
2006012257.tif 000003
【図２】
2006012257.tif 000004
【図３】
2006012257.tif 000005
【図４】
2006012257.tif 000006
【図５−１】
2006012257.tif 000007
【図５−２】
2006012257.tif 000008
【図６】
2006012257.tif 000009
【図７−１】
2006012257.tif 000010
【図７−２】
2006012257.tif 000011
【図８】
2006012257.tif 000012
【図９−１】
2006012257.tif 000013
【図９−２】
2006012257.tif 000014
【図１０】
2006012257.tif 000015
【図１１】
2006012257.tif 000016